(57)【要約】      （修正有）【課題】蒸発器で生じるドレン水の冷熱を有効に利用し得る冷凍回路を提供する。【解決手段】冷凍回路(1)は、冷媒循環管路(RC)上に蒸発器(EV)、圧縮機(CP)、凝縮器(CD)及び膨張装置(EX)を備えると共に、運転中に蒸発器で生じるドレン水を貯留するドレン水タンク(DT)と、ドレン水回路(DC)とを備え、ドレン水回路はドレン水循環回路(DCC)とドレン水放出回路(DDC)とを含み、両回路は、上流部において、ドレン水タンクのドレン水を圧送するドレン水ポンプ(PD)と、圧送されたドレン水の流れ方向を切り替える回路切替手段(TV)を共有しており、ドレン水循環回路は、ドレン水により冷媒を冷却する冷媒冷却器(GC,LC)を回路切替手段の下流に備えると共に、ドレン水をドレン水タンクへ還流させ、ドレン水放出回路は、下流端に備えられた噴霧ノズル(SN)によってドレン水を凝縮器に散布する。【選択図】図１
2020046158.tif 000002
【特許請求の範囲】
【請求項１】
冷媒が循環する管路上に、前記冷媒の流れる方向に順に配置された蒸発器、圧縮機、凝縮器及び膨張装置を備える冷凍回路であって、
前記冷凍回路は、さらに、
前記冷凍回路の運転中に前記蒸発器で発生するドレン水を貯留するドレン水タンクと、
前記ドレン水タンクに貯留された前記ドレン水が流通するドレン水回路と、
を備え、
前記ドレン水回路は、ドレン水循環回路と、ドレン水放出回路と、を含み、
前記ドレン水循環回路及びドレン水放出回路は、その上流部において、前記ドレン水タンクに貯留された前記ドレン水を圧送するドレン水ポンプと、前記ドレン水ポンプにより圧送された前記ドレン水の流れ方向を切り替える回路切替手段とを共有しており、
前記ドレン水循環回路は、前記ドレン水との熱交換を通じて前記冷媒を冷却する冷媒冷却器を前記回路切替手段の下流に備えると共に、前記冷媒冷却器を通過した前記ドレン水を前記ドレン水タンクへ還流させるように構成されており、
前記ドレン水放出回路は、その下流端に噴霧ノズルを備え、前記ドレン水を前記噴霧ノズルによって前記凝縮器に散布するように構成されている、冷凍回路。
【請求項２】
前記ドレン水循環回路は、前記回路切替手段の下流において互いに並列に配置された液相冷媒冷却回路及び気相冷媒冷却回路を含み、
前記液相冷媒冷却回路は、前記凝縮器を流出して前記膨張装置へ向かう途中の液相冷媒を冷却する液相冷媒冷却器を備え、
前記気相冷媒冷却回路は、前記圧縮機から吐出されて前記凝縮器へ向かう途中の気相冷媒を冷却する気相冷媒冷却器を備える、ことを特徴とする請求項１に記載の冷凍回路。
【請求項３】
前記ドレン水ポンプは、前記ドレン水タンク内の前記ドレン水の水位が第１水位以上である時に運転され、
前記水位が第１水位以上かつ第２水位未満である時、前記ドレン水は前記ドレン水循環回路のみを流通し、
前記水位が第２水位以上かつ第３水位未満である時、前記ドレン水は前記ドレン水放出回路のみを流通し、
前記水位が第３水位以上である時、前記ドレン水タンクから前記ドレン水が強制排水される、ことを特徴とする請求項１または２に記載の冷凍回路。
【請求項４】
前記ドレン水ポンプは、前記ドレン水タンク内の前記ドレン水の水位が第１水位以上である時に運転され、
前記膨張装置の直上流における前記冷媒の温度と前記ドレン水タンク内の前記ドレン水の温度との差を第１温度差、前記第１温度差の下限値を第１下限値、前記圧縮機の直下流における前記冷媒の温度と前記ドレン水タンク内の前記ドレン水の温度との差を第２温度差、前記第２温度差の下限値を第２下限値とするとき、
前記水位が第１水位以上かつ第３水位未満である場合、
前記第１温度差が前記第１下限値を上回っている場合は、前記ドレン水は前記液相冷媒冷却回路のみを流通し、
前記第１温度差が前記第１下限値以下であり、かつ、前記第２温度差が前記第２下限値を上回っている場合は、前記ドレン水は前記気相冷媒冷却回路のみを流通する、ことを特徴とする請求項２に記載の冷凍回路。
【発明の詳細な説明】
【技術分野】
【０００１】
本発明は、冷凍回路、特に蒸発器において発生するドレン水（凝縮水）が保有する冷熱を有効に利用し得るように構成された冷凍回路に関する。
【背景技術】
【０００２】
空調装置（エアコン）等に内蔵される冷凍回路は、冷媒が循環する管路上に、冷媒の流れる方向に順に、蒸発器、圧縮機、凝縮器及び膨張装置を配置したものである。
【０００３】
冷凍回路の運転中、低温低圧の液相冷媒は、蒸発器において、蒸発器ファンにより導入される空気（空調装置の場合は室内の空気）から吸熱して定圧の下で蒸発（気化）し、その際、当該空気を冷却する。蒸発器を流出した低圧の気相冷媒は、圧縮機に流入して圧縮され、高温高圧の気相冷媒として凝縮器へ送出される。高温高圧の気相冷媒は、凝縮器において、凝縮器ファンにより導入される空気（空調装置の場合は室外の空気）に放熱して定圧の下で凝縮（液化）する。凝縮器を流出した高圧の液相冷媒は、膨張装置（キャピラリ、電子膨張弁等）において等エンタルピ的に膨張し、低温低圧の液相冷媒となって、蒸発器に還流する。
【０００４】
冷凍回路の運転中、蒸発器は、その内部を低温の冷媒が流れているため、表面温度が低くなっている。そのため、蒸発器に導入される空気に含まれる水分が蒸発器の表面で冷却されて凝縮し、ドレン水（凝縮水）が発生する。
【０００５】
そのため、従来の冷凍回路においては、蒸発器の下方にドレンパン（ドレン水受け皿）を配置してドレン水を収集し、ホース等によって室外へ導いて排出したり、一時的にタンクに貯留して定期的に手動で排水したりしていた。
【発明の概要】
【発明が解決しようとする課題】
【０００６】
しかしながら、蒸発器において発生するドレン水は温度が低く、したがって冷熱を保有している。したがって、従来の冷凍回路は、この冷熱のエネルギー利用することなく廃棄していることになり、エネルギーの有効利用の観点から改善の余地が残されていた。
【０００７】
本発明は、以上のような問題点に鑑みてなされたものであって、蒸発器において発生するドレン水が保有する冷熱のエネルギーを有効に利用し得るように構成された冷凍回路を提供することを目的とする。
【課題を解決するための手段】
【０００８】
上記課題を解決するために、本発明の冷凍回路は、冷媒が循環する管路上に、前記冷媒の流れる方向に順に配置された蒸発器、圧縮機、凝縮器及び膨張装置を備えると共に、前記冷凍回路の運転中に前記蒸発器で発生するドレン水を貯留するドレン水タンクと、前記ドレン水タンクに貯留された前記ドレン水が流通するドレン水回路と、を備え、前記ドレン水回路は、ドレン水循環回路と、ドレン水放出回路と、を含み、前記ドレン水循環回路及びドレン水放出回路は、その上流部において、前記ドレン水タンクに貯留された前記ドレン水を圧送するドレン水ポンプと、前記ドレン水ポンプにより圧送された前記ドレン水の流れ方向を切り替える回路切替手段とを共有しており、前記ドレン水循環回路は、前記ドレン水との熱交換を通じて前記冷媒を冷却する冷媒冷却器を前記回路切替手段の下流に備えると共に、前記冷媒冷却器を通過した前記ドレン水を前記ドレン水タンクへ還流させるように構成されており、前記ドレン水放出回路は、その下流端に噴霧ノズルを備え、前記ドレン水を前記噴霧ノズルによって前記凝縮器に散布するように構成されていることを特徴とする。
【０００９】
好ましくは、前記ドレン水循環回路は、前記回路切替手段の下流において互いに並列に配置された液相冷媒冷却回路及び気相冷媒冷却回路を含み、前記液相冷媒冷却回路は、前記凝縮器を流出して前記膨張装置へ向かう途中の液相冷媒を冷却する液相冷媒冷却器を備え、前記気相冷媒冷却回路は、前記圧縮機から吐出されて前記凝縮器へ向かう途中の気相冷媒を冷却する気相冷媒冷却器を備える。
【００１０】
好ましくは、前記ドレン水ポンプは、前記ドレン水タンク内の前記ドレン水の水位が第１水位以上である時に運転され、前記水位が第１水位以上かつ第２水位未満である時、前記ドレン水は前記ドレン水循環回路のみを流通し、前記水位が第２水位以上かつ第３水位未満である時、前記ドレン水は前記ドレン水放出回路のみを流通し、前記水位が第３水位以上である時、前記ドレン水タンクから前記ドレン水が強制排水される。
【００１１】
好ましくは、前記ドレン水ポンプは、前記ドレン水タンク内の前記ドレン水の水位が第１水位以上である時に運転され、前記膨張装置の直上流における前記冷媒の温度と前記ドレン水タンク内の前記ドレン水の温度との差を第１温度差、前記第１温度差の下限値を第１下限値、前記圧縮機の直下流における前記冷媒の温度と前記ドレン水タンク内の前記ドレン水の温度との差を第２温度差、前記第２温度差の下限値を第２下限値とするとき、前記水位が第１水位以上かつ第３水位未満である場合、前記第１温度差が前記第１下限値を上回っている場合は、前記ドレン水は前記液相冷媒冷却回路のみを流通し、前記第１温度差が前記第１下限値以下であり、かつ、前記第２温度差が前記第２下限値を上回っている場合は、前記ドレン水は前記気相冷媒冷却回路のみを流通する。
【発明の効果】
【００１２】
本発明の冷凍回路によれば、蒸発器において発生するドレン水が保有する冷熱のエネルギーを有効に利用することができるという優れた効果を得ることができる。
【図面の簡単な説明】
【００１３】
【図１】本発明の第１実施形態の冷凍回路を示す概略説明図である。
【図２】本発明の第１実施形態の冷凍回路におけるドレン水回路の切り替え制御の第１の態様を示すフローチャートである。
【図３】図２に示す第１の態様の切り替え制御によって実現されるドレン水の流れを示す概略説明図であって、（Ａ）はドレン水循環回路のみをドレン水が流れる状態を、（Ｂ）はドレン水放出回路のみをドレン水が流れる状態を、それぞれ示している。
【図４】本発明の第１実施形態の冷凍回路におけるドレン水回路の切り替え制御の第２の態様を示すフローチャートである。
【図５】図４に示す第２の態様の切り替え制御によって実現されるドレン水の流れを示す概略説明図であって、（Ａ）は液相冷媒冷却回路ＬＣＣのみをドレン水が流れる状態を、（Ｂ）は気相冷媒冷却回路ＧＣＣのみをドレン水が流れる状態を、（Ｃ）はドレン水放出回路ＤＤＣのみをドレン水が流れる状態を、それぞれ示している。
【図６】本発明の第１実施形態の冷凍回路におけるドレン水回路の切り替え制御の第３の態様を示すフローチャートである。
【図７】図６に示す第３の態様の切り替え制御によって実現されるドレン水の流れを示す概略説明図であって、（Ａ）は液相冷媒冷却回路ＬＣＣのみをドレン水が流れる状態を、（Ｂ）は気相冷媒冷却回路ＧＣＣのみをドレン水が流れる状態を、（Ｃ）はドレン水放出回路ＤＤＣのみをドレン水が流れる状態を、それぞれ示している。
【図８】本発明の第２実施形態の冷凍回路を示す概略説明図である。
【発明を実施するための形態】
【００１４】
以下、本発明の実施形態について、図面を参照して詳細に説明する。
【００１５】
図１は、本発明の第１実施形態の冷凍回路１を示す概略説明図である。なお、ここでは、当該冷凍回路を空調装置に適用した場合を例として説明する。
【００１６】
冷凍回路１は、冷媒が循環する管路ＲＣ上に、冷媒の流れる方向に順に、蒸発器ＥＶ、圧縮機ＣＰ、凝縮器ＣＤ及び膨張装置ＥＸを配置したものである。
【００１７】
冷凍回路１の運転中、低温低圧の液相冷媒は、蒸発器ＥＶにおいて、例えばシロッコファンとして構成された蒸発器ファンＥＶＦにより導入される室内の空気から吸熱して定圧の下で蒸発（気化）し、その際、当該空気を冷却する。蒸発器ＥＶを流出した低圧の気相冷媒は、圧縮機ＣＰに流入して圧縮され、高温高圧の気相冷媒として凝縮器ＣＤへ送出される。高温高圧の気相冷媒は、凝縮器ＣＤにおいて、凝縮器ファンＣＤＦにより導入される室外の空気へ放熱して定圧の下で凝縮（液化）する。凝縮器ＣＤを流出した高圧の液相冷媒は、膨張装置ＥＸ（キャピラリ、電子膨張弁等）において等エンタルピ的に膨張し、低温低圧の液相冷媒となって、蒸発器ＥＶに還流する（図１における矢印付きの回路参照）。
【００１８】
冷凍回路１の運転中、蒸発器ＥＶは、その内部を低温の冷媒が流れるため、表面温度が低くなる。そのため、蒸発器ＥＶに導入される室内の空気に含まれる水分が蒸発器ＥＶの表面で冷却されて凝縮し、ドレン水（凝縮水）が発生する。
【００１９】
そこで、冷凍回路１は、蒸発器ＥＶの下方にドレンパン（ドレン水受け皿）ＤＰを配置してドレン水を収集すると共に、収集されたドレン水をドレンパンＤＰの下方に配置されたドレン水タンクＤＴに貯留するように構成されている。そして、貯留されたドレン水が保有する冷熱を有効に利用し得るよう、冷凍回路１は、以下で詳細に説明するドレン水回路ＤＣを備えている。
【００２０】
ドレン水回路ＤＣは、ドレン水循環回路ＤＣＣ及びドレン水放出回路ＤＤＣを含み、両回路は、その上流部において、ドレン水タンクＤＴに貯留されたドレン水を圧送するドレン水ポンプＰＤと、ドレン水ポンプＰＤにより圧送されたドレン水の流れ方向を切り替える電磁弁として構成された三方弁ＴＶ（回路切替手段）と、これらを互いに接続する管路と、を共有している（以上の共有部を、ドレン水供給回路ＤＳＣと称する）。そして、三方弁ＴＶの方向（図中に矢印で示したＡ方向またはＢ方向）を切り替えることにより、ドレン水循環回路ＤＣＣをドレン水が流れる状態、または、ドレン水放出回路ＤＤＣをドレン水が流れる状態の何れかが実現される。
【００２１】
ドレン水循環回路ＤＣＣは、ドレン水供給回路ＤＳＣを経て供給されるドレン水の冷熱（主として顕熱）を利用して冷凍回路１の管路ＲＣを循環する冷媒を冷却し、冷却に供された後のドレン水をドレン水タンクＤＴに還流させるように構成されている。
【００２２】
具体的には、ドレン水循環回路ＤＣＣは、三方弁ＴＶの下流（Ａ方向側）において、膨張装置ＥＸに流入する液相冷媒を冷却するように構成された液相冷媒冷却回路ＬＣＣと、圧縮機ＣＰから吐出された気相冷媒を冷却するように構成された気相冷媒冷却回路ＧＣＣとを備えている。
【００２３】
液相冷媒冷却回路ＬＣＣと気相冷媒冷却回路ＧＣＣは、互いに並列に配置されており、三方弁ＴＶの直下流の分岐点ＰＢにおいて互いに分岐し、ドレン水タンクＤＴの直上流の合流点ＰＭにおいて合流する。
【００２４】
液相冷媒冷却回路ＬＣＣにおける分岐点ＰＢの直下流には、電磁弁として構成された第１開閉弁Ｖ１が配置され、気相冷媒冷却回路ＧＣＣにおける分岐点ＰＢの直下流には、電磁弁として構成された第２開閉弁Ｖ２が配置されている。これにより、第１開閉弁Ｖ１及び第２開閉弁Ｖ２の開閉操作を通じて、液相冷媒冷却回路ＬＣＣ及び気相冷媒冷却回路ＧＣＣの一方または両方にドレン水を流通させて、その冷熱を利用することができる。
【００２５】
液相冷媒冷却回路ＬＣＣは、ドレン水の流れる方向において第１開閉弁Ｖ１より下流かつ合流点ＰＭより上流に液相冷媒冷却器ＬＣ（冷媒冷却器）を備えており、当該液相冷媒冷却器ＬＣにおいては、凝縮器ＣＤを流出して膨張装置ＥＸへ向かう途中の液相冷媒が、ドレン水との熱交換を通じて冷却される。
【００２６】
気相冷媒冷却回路ＧＣＣは、ドレン水の流れる方向において第２開閉弁Ｖ２より下流かつ合流点ＰＭより上流に気相冷媒冷却器ＧＣ（冷媒冷却器）を備えており、当該気相冷媒冷却器ＧＣにおいては、圧縮機ＣＰから吐出されて凝縮器ＣＤへ向かう途中の気相冷媒が、ドレン水との熱交換を通じて冷却される。
【００２７】
ドレン水放出回路ＤＤＣは、ドレン水供給回路ＤＳＣを経て供給されるドレン水の冷熱（主として潜熱）を利用して冷凍回路１の凝縮器ＣＤを冷却するように構成されている。
【００２８】
具体的には、ドレン水放出回路ＤＤＣは、三方弁ＴＶの下流（Ｂ方向側）において、その下流端に噴霧ノズルＳＮを備えており、ドレン水は噴霧ノズルＳＮによって凝縮器ＣＤの伝熱面に散布される。これにより、凝縮器ＣＤの伝熱面上でドレン水が蒸発（気化）し、その際に吸収する蒸発熱（潜熱）によって、凝縮器ＣＤの伝熱面を、したがって凝縮器ＣＤの内部を流れる冷媒を冷却することができる。
【００２９】
以上のように構成された冷凍回路１においては、可能な限り効率良くドレン水の冷熱を利用し得るよう、ドレン水タンクＤＴ内のドレン水の水位（ドレン水タンクＤＴに貯留されたドレン水の量）及び温度の一方または両方に基づいて、三方弁ＴＶ、並びに、第１開閉弁Ｖ１及び第２開閉弁Ｖ２が制御される。
【００３０】
そのために、ドレン水タンクＤＴには、第１〜３水位センサＬＳ１〜ＬＳ３と、ドレン水温度センサＴＳＤが設置されている。
【００３１】
第１〜３水位センサＬＳ１〜ＬＳ３は、ドレン水タンクＤＴ内のドレン水の水位が、それぞれ後述する第１〜３水位Ｌ１〜Ｌ３に達しているか否かを検知するために設置されている。
【００３２】
ここで、第１水位センサＬＳ１は、ドレン水ポンプＰＤによるドレン水の吸い込み口ＰＤＩよりも下方に、第３水位センサＬＳ３は、ドレン水タンクＤＴ内の上端近傍に、それぞれ設置されている。
【００３３】
また、ドレン水温度センサＴＳＤは、ドレン水タンクＤＴ内のドレン水の水位によらずドレン水の温度を計測し得るよう、ドレン水タンクＤＴの底部に設置されている。
【００３４】
さらに、冷凍回路１の管路ＲＣのうち、膨張装置ＥＸの直上流の部位及び圧縮機ＣＰの直下流の部位には、それぞれ冷媒温度センサＴＳＲ１及びＴＳＲ２が設置されている。
【００３５】
以上のように構成された冷凍回路１におけるドレン水回路ＤＣの切り替え制御の態様について、以下で説明する。
【００３６】
図２は、冷凍回路１におけるドレン水回路ＤＣの切り替え制御の第１の態様を示すフローチャートである。また、図３は、図２に示す第１の態様の切り替え制御によって実現されるドレン水の流れを示す概略説明図であって、（Ａ）はドレン水循環回路ＤＣＣのみをドレン水が流れる状態を、（Ｂ）はドレン水放出回路ＤＤＣのみをドレン水が流れる状態を、それぞれ示している。
【００３７】
第１の態様においては、第１〜３水位センサＬＳ１〜ＬＳ３によって検知されるドレン水タンクＤＴ内のドレン水の水位に基づいて、三方弁ＴＶの方向（Ａ方向またはＢ方向）、並びに、第１開閉弁Ｖ１及び第２開閉弁Ｖ２の開閉が制御される。
【００３８】
図２に示すフローチャートのステップＳ１００において空調装置（冷凍回路１）の運転が開始された後、ステップＳ１１０において、第１水位センサＬＳ１を用いてドレン水タンクＤＴ内のドレン水の水位Ｌが第１水位Ｌ１未満（Ｌ＜Ｌ１）であるか否かが判定される。
【００３９】
ステップＳ１１０における判定結果がＹｅｓである（すなわち、ドレン水タンクＤＴ内のドレン水の水位Ｌが第１水位Ｌ１未満である）場合、ドレン水タンクＤＴ内のドレン水の水位はドレン水ポンプＰＤの吸い込み口ＰＤＩより低く、ドレン水ポンプＰＤによってドレン水を圧送することはできないので、Ｙｅｓ方向へ進み、ステップＳ１１５においてドレン水ポンプＰＤの運転が停止される。
【００４０】
ステップＳ１１０における判定結果がＮｏである（すなわち、ドレン水タンクＤＴ内のドレン水の水位Ｌが第１水位Ｌ１以上である）場合、ドレン水ポンプＰＤによってドレン水タンクＤＴ内のドレン水を圧送することができるので、Ｎｏ方向へ進み、ステップＳ１２０において三方弁ＴＶがＡ方向に切り替えられ、ステップＳ１３０において第１開閉弁Ｖ１及び第２開閉弁Ｖ２が開かれると共に、ステップＳ１４０においてドレン水ポンプＰＤが起動される。
【００４１】
この状態においては、図３（Ａ）に示すように、ドレン水タンクＤＴに貯留されたドレン水はドレン水ポンプＰＤにより圧送されて三方弁ＴＶに到達した後、Ａ方向へ流れる。そして、ドレン水の一部は、第１開閉弁Ｖ１を経て液相冷媒冷却回路ＬＣＣに流入し、液相冷媒冷却器ＬＣにおいて膨張装置ＥＸに流入する液相冷媒を冷却する。一方、ドレン水の残部は、第２開閉弁Ｖ２を経て気相冷媒冷却回路ＧＣＣに流入し、気相冷媒冷却器ＧＣにおいて圧縮機ＣＰから吐出された気相冷媒を冷却する。その後、液相冷媒冷却回路ＬＣＣ及び気相冷媒冷却回路ＧＣＣのそれぞれを経たドレン水は、合流点ＰＭにおいて合流した後、ドレン水タンクＤＴに還流する。
【００４２】
上述した状態で、続くステップＳ１５０において、第２水位センサＬＳ２を用いてドレン水タンクＤＴ内のドレン水の水位Ｌが第２水位Ｌ２未満（Ｌ＜Ｌ２）であるか否かの判定が行われる。
【００４３】
ステップＳ１５０における判定結果がＹｅｓである（すなわち、ドレン水タンクＤＴ内のドレン水の水位Ｌが第２水位Ｌ２未満である）場合、Ｙｅｓ方向へ進み、ステップＳ１５０における判定が繰り返される。
【００４４】
ステップＳ１５０における判定結果がＮｏである（すなわち、ドレン水タンクＤＴ内のドレン水の水位Ｌが第２水位Ｌ２以上である）場合、ドレン水タンクＤＴ内には既に大量のドレン水が貯留されており、さらなるドレン水を貯留する余裕が乏しくなりつつあることになるので、Ｎｏ方向へ進み、ステップＳ１６０において三方弁ＴＶがＢ方向に切り替えられると共に、ステップＳ１７０において第１開閉弁Ｖ１及び第２開閉弁Ｖ２が閉じられる。
【００４５】
この状態においては、図３（Ｂ）に示すように、ドレン水ポンプＰＤにより圧送されて三方弁ＴＶに到達したドレン水は、Ｂ方向へ流れてドレン水放出回路ＤＤＣに流入し、最終的には噴霧ノズルＳＮによって凝縮器ＣＤの伝熱面に散布される。これにより、凝縮器ＣＤの伝熱面、したがって凝縮器ＣＤの内部を流れる冷媒が冷却される。
【００４６】
上述した状態で、続くステップＳ１８０において、第３水位センサＬＳ３を用いてドレン水タンクＤＴ内のドレン水の水位Ｌが第３水位Ｌ３以上（Ｌ３≦Ｌ）であるか否かの判定が行われる。
【００４７】
ステップＳ１８０における判定結果がＮｏである（すなわち、ドレン水タンクＤＴ内のドレン水の水位Ｌが第３水位Ｌ３未満である）場合、Ｎｏ方向へ進み、ステップＳ１８０における判定が繰り返される。
【００４８】
ステップＳ１８０における判定結果がＹｅｓである（すなわち、ドレン水タンクＤＴ内のドレン水の水位Ｌが第３水位Ｌ３以上である）場合、ドレン水タンクＤＴからドレン水が溢れる虞が生じていることになるので、Ｙｅｓ方向へ進み、ステップＳ１９０において異常警報が発せられ、自動的にドレン水タンクＤＴ内のドレン水が強制排水される。
【００４９】
その後、制御フローはステップＳ１１０に戻り、上述した態様の制御が繰り返される。
【００５０】
以上のように、ドレン水回路ＤＣの第１の態様の切り替え制御においては、ドレン水タンクＤＴ内のドレン水の水位Ｌが、ドレン水ポンプＰＤによって圧送可能な第１水位Ｌ１以上にまで上昇すると、ドレン水循環回路ＤＣＣ（液相冷媒冷却回路ＬＣＣ及び気相冷媒冷却回路ＧＣＣ）にドレン水を循環させて冷凍回路１の冷媒を冷却する。さらに、ドレン水タンクＤＴ内のドレン水の水位Ｌが、ドレン水タンクＤＴにさらなるドレン水を貯留する余裕が乏しくなりつつあることを示す第２水位Ｌ２に達すると、ドレン水放出回路ＤＤＣを経てドレン水の放出が開始されるが、このとき同時に凝縮器ＣＤの内部を流れる冷凍回路１の冷媒が冷却される。そして、ドレン水タンクＤＴ内のドレン水の水位Ｌが、ドレン水タンクＤＴからドレン水が溢れる虞が生じていることを示す第３水位Ｌ３に達すると、ドレン水タンクＤＴ内のドレン水が強制排水される。
【００５１】
すなわち、ドレン水回路ＤＣの第１の態様の切り替え制御においては、ドレン水の量が少ない場合は、これを循環させつつ冷凍回路１の冷媒の冷却が行われ、ドレン水の量が多くなると、これを放出しつつ凝縮器ＣＤの伝熱面の冷却を通じて冷凍回路１の冷媒の冷却が行われる。このように、当該制御においては、ドレン水の冷熱を有効に利用することができる。
【００５２】
図４は、冷凍回路１におけるドレン水回路ＤＣの切り替え制御の第２の態様を示すフローチャートである。また、図５は、図４に示す第２の態様の切り替え制御によって実現されるドレン水の流れを示す概略説明図であって、（Ａ）は液相冷媒冷却回路ＬＣＣのみをドレン水が流れる状態を、（Ｂ）は気相冷媒冷却回路ＧＣＣのみをドレン水が流れる状態を、（Ｃ）はドレン水放出回路ＤＤＣのみをドレン水が流れる状態を、それぞれ示している。
【００５３】
第２の態様においては、ドレン水温度センサＴＳＤによって検知されるドレン水タンクＤＴ内のドレン水の温度に基づいて、三方弁ＴＶの方向（Ａ方向またはＢ方向）、並びに、第１開閉弁Ｖ１及び第２開閉弁Ｖ２の開閉が制御される。
【００５４】
図４に示すフローチャートのステップＳ２００において空調装置（冷凍回路１）の運転が開始された後、ステップＳ２１０において三方弁ＴＶがＡ方向に切り替えられると共に、ステップＳ２１５において第１開閉弁Ｖ１が開かれる。なお、このとき第２開閉弁Ｖ２は閉じられている。
【００５５】
この状態で、続くステップＳ２２０において、第１水位センサＬＳ１を用いてドレン水タンクＤＴ内のドレン水の水位Ｌが第１水位Ｌ１未満（Ｌ＜Ｌ１）であるか否かが判定される。
【００５６】
ステップＳ２２０における判定結果がＹｅｓである（すなわち、ドレン水タンクＤＴ内のドレン水の水位Ｌが第１水位Ｌ１未満である）場合、ドレン水タンクＤＴ内のドレン水の水位はドレン水ポンプＰＤの吸い込み口ＰＤＩより低く、ドレン水ポンプＰＤによってドレン水を圧送することはできないので、Ｙｅｓ方向へ進み、ステップＳ２２０における判定が繰り返される。
【００５７】
ステップＳ２２０における判定結果がＮｏである（すなわち、ドレン水タンクＤＴ内のドレン水の水位Ｌが第１水位Ｌ１以上である）場合、ドレン水ポンプＰＤによってドレン水タンクＤＴ内のドレン水を圧送することができるので、Ｎｏ方向へ進み、ステップＳ２３０においてドレン水ポンプＰＤが起動される。
【００５８】
この状態においては、図５（Ａ）に示すように、ドレン水タンクＤＴに貯留されたドレン水はドレン水ポンプＰＤにより圧送されて三方弁ＴＶに到達した後、Ａ方向へ流れ、第１開閉弁Ｖ１を経て液相冷媒冷却回路ＬＣＣに流入する。その後、ドレン水は、液相冷媒冷却器ＬＣにおいて膨張装置ＥＸに流入する液相冷媒を冷却した後、ドレン水タンクＤＴに還流する。
【００５９】
上述した状態で、続くステップＳ２４０において、ドレン水タンクＤＴ内のドレン水の温度に関する判定が行われる。
【００６０】
ここで、ドレン水温度センサＴＳＤにより検知されるドレン水タンクＤＴ内のドレン水の温度Ｔｄと、冷媒温度センサＴＳＲ１により検知される膨張装置ＥＸの直上流における冷媒の温度Ｔｒ１との温度差（第１温度差）をΔＴ１（＝Ｔｒ１ーＴｄ）とし、当該温度差に対して予め設定される下限値（第１下限値）をΔＴ１Ｌとする。
【００６１】
ステップＳ２４０においては、上述した温度差ΔＴ１が下限値ΔＴ１Ｌを上回っている（ΔＴ１＞ΔＴ１Ｌ）か否かが判定される。
【００６２】
ステップＳ２４０における判定結果がＹｅｓである（すなわち、温度差ΔＴ１が下限値ΔＴ１Ｌを上回っている）場合、Ｙｅｓ方向へ進み、ステップＳ２４０における判定が繰り返される。このように、温度差ΔＴ１が下限値ΔＴ１Ｌを上回っている場合は、ドレン水タンクＤＴ内のドレン水の温度Ｔｄが膨張装置ＥＸの直上流における冷媒の温度Ｔｒ１と比較して十分に低く、液相冷媒冷却器ＬＣにおいてドレン水による冷媒の冷却が効果的に行われ得る。そのため、この場合には、上述した状態を維持し、液相冷媒冷却回路ＬＣＣのみにドレン水を流して冷媒の冷却を続行する。
【００６３】
ステップＳ２４０における判定結果がＮｏである（すなわち、温度差ΔＴ１が下限値ΔＴ１Ｌ以下である）場合、ドレン水タンクＤＴ内のドレン水の温度Ｔｄの経時的な上昇によって膨張装置ＥＸの直上流における冷媒の温度Ｔｒ１との温度差が小さくなり、液相冷媒冷却器ＬＣにおいてドレン水による冷媒の冷却を効果的に行うことができない状態となっている。そのため、この場合には、Ｎｏ方向へ進み、ドレン水の流れが切り替えられる。
【００６４】
すなわち、ステップＳ２５０において第２開閉弁Ｖ２が開かれると共に、ステップＳ２５５において第１開閉弁Ｖ１が閉じられる。
【００６５】
この状態においては、図５（Ｂ）に示すように、ドレン水タンクＤＴに貯留されたドレン水はドレン水ポンプＰＤにより圧送されて三方弁ＴＶに到達した後、Ａ方向へ流れ、第２開閉弁Ｖ２を経て気相冷媒冷却回路ＧＣＣに流入する。その後、ドレン水は、気相冷媒冷却器ＧＣにおいて圧縮機ＣＰから吐出された気相冷媒を冷却した後、ドレン水タンクＤＴに還流する。
【００６６】
上述した状態で、続くステップＳ２６０において、ドレン水タンクＤＴ内のドレン水の温度に関する判定が行われる。
【００６７】
ここで、ドレン水温度センサＴＳＤにより検知されるドレン水タンクＤＴ内のドレン水の温度Ｔｄと、冷媒温度センサＴＳＲ２により検知される圧縮機ＣＰの直下流における冷媒の温度Ｔｒ２との温度差（第２温度差）をΔＴ２（＝Ｔｒ２ーＴｄ）とし、当該温度差に対して予め設定される下限値（第２下限値）をΔＴ２Ｌとする。
【００６８】
ステップＳ２６０においては、上述した温度差ΔＴ２が下限値ΔＴ２Ｌを上回っている（ΔＴ２＞ΔＴ２Ｌ）か否かが判定される。
【００６９】
ステップＳ２６０における判定結果がＹｅｓである（すなわち、温度差ΔＴ２が下限値ΔＴ２Ｌを上回っている）場合、Ｙｅｓ方向へ進み、ステップＳ２６０における判定が繰り返される。このように、温度差ΔＴ２が下限値ΔＴ２Ｌを上回っている場合は、ドレン水タンクＤＴ内のドレン水の温度Ｔｄが圧縮機ＣＰの直下流における冷媒の温度Ｔｒ２と比較して十分に低く、気相冷媒冷却器ＧＣにおいてドレン水による冷媒の冷却が効果的に行われ得る。そのため、この場合には、上述した状態を維持し、気相冷媒冷却回路ＬＣＣのみにドレン水を流して冷媒の冷却を続行する。
【００７０】
ステップＳ２６０における判定結果がＮｏである（すなわち、温度差ΔＴ２が下限値ΔＴ２Ｌ以下である）場合、ドレン水タンクＤＴ内のドレン水の温度Ｔｄの経時的な上昇によって圧縮機ＣＰの直下流における冷媒の温度Ｔｒ２との温度差が小さくなり、気相冷媒冷却器ＧＣにおいてドレン水による冷媒の冷却を効果的に行うことができない状態となっている。また、このように温度の上昇したドレン水は、容易に蒸発し得る状態となっている。そのため、この場合には、Ｎｏ方向へ進み、ドレン水の流れが切り替えられる。
【００７１】
すなわち、ステップＳ２７０において三方弁ＴＶがＢ方向に切り替えられると共に、ステップＳ２７５において第２開閉弁Ｖ２が閉じられる。
【００７２】
この状態においては、図５（Ｃ）に示すように、ドレン水タンクＤＴに貯留されたドレン水はドレン水ポンプＰＤにより圧送されて三方弁ＴＶに到達した後、Ｂ方向へ流れてドレン水放出回路ＤＤＣに流入し、最終的には噴霧ノズルＳＮによって凝縮器ＣＤの伝熱面に散布される。このとき、ドレン水タンクＤＴ内のドレン水の温度Ｔｄは、圧縮機ＣＰから吐出される気相冷媒の温度Ｔｒ２近くまで上昇しているので、凝縮器ＣＤの伝熱面に散布された際に容易に蒸発（気化）する。これにより、凝縮器ＣＤの伝熱面、したがって凝縮器ＣＤの内部を流れる冷媒が、ドレン水の蒸発熱（潜熱）によって効果的に冷却される。
【００７３】
上述した状態で、続くステップＳ２８０において、第１水位センサＬＳ１及び第３水位センサＬＳ３を用いて、ドレン水タンクＤＴ内のドレン水の水位Ｌが、第１水位Ｌ１未満（Ｌ＜Ｌ１）または第３水位Ｌ３以上（Ｌ３≦Ｌ）であるか否かの判定が行われる。
【００７４】
ステップＳ２８０における判定結果がＮｏである（すなわち、ドレン水タンクＤＴ内のドレン水の水位Ｌが第１水位Ｌ１以上第３水位Ｌ３未満（Ｌ１≦Ｌ＜Ｌ３）である）場合、Ｎｏ方向へ進み、ドレン水放出回路ＤＤＣへのドレン水の供給を通じて冷媒の冷却を続行しつつ、ステップＳ２８０における判定が繰り返される。
【００７５】
ステップＳ２８０における判定結果がＹｅｓである場合は、ドレン水ポンプＰＤによってドレン水を圧送することができない状態（ドレン水タンクＤＴ内のドレン水の水位Ｌが第１水位Ｌ１未満（Ｌ＜Ｌ１）である場合）、あるいは、ドレン水タンクＤＴからドレン水が溢れる虞が生じておりドレン水の強制排水が必要とされる（ドレン水タンクＤＴ内のドレン水の水位Ｌが第３水位Ｌ３以上（Ｌ３≦Ｌ）である場合）状態となっているため、Ｙｅｓ方向へ進み、ステップＳ２９０においてドレン水ポンプＰＤの運転が停止されると共に、自動的にドレン水タンクＤＴ内のドレン水が強制排水される。
【００７６】
以上のように、ドレン水回路ＤＣの第２の態様の切り替え制御においては、ドレン水タンクＤＴ内のドレン水の温度Ｔｄと膨張装置ＥＸの直上流における冷媒の温度Ｔｒ１との温度差が十分に大きい場合には、液相冷媒冷却回路ＬＣＣにドレン水を流して膨張装置ＥＸに流入する液相冷媒を冷却し、当該温度差を十分に確保できなくなった場合には、液相冷媒冷却回路ＬＣＣから気相冷媒冷却回路ＧＣＣへの切り替えが行われる。そして、ドレン水タンクＤＴ内のドレン水の温度Ｔｄと圧縮機ＣＰから吐出された気相冷媒の温度Ｔｒ２との温度差が十分に大きい場合には、気相冷媒冷却回路ＧＣＣにドレン水を流して圧縮機ＣＰから吐出された気相冷媒を冷却し、当該温度差を十分に確保できなくなった場合には、気相冷媒冷却回路ＧＣＣからドレン水放出回路ＤＤＣへの切り替えが行われる。このとき、ドレン水タンクＤＴ内のドレン水は、その温度Ｔｄが圧縮機ＣＰから吐出される気相冷媒の温度Ｔｒ２近くまで上昇しており、凝縮器ＣＤの伝熱面に散布された際に容易に蒸発（気化）するので、凝縮器ＣＤの内部を流れる冷媒が効果的に冷却される。
【００７７】
すなわち、ドレン水回路の第２の態様の切り替え制御においては、ドレン水の温度（冷媒との温度差）に応じて効果的に冷却できる部位の冷媒を冷却すると共に、ドレン水の温度が上昇して蒸発し易い状態になった場合には、これを凝縮器の伝熱面に散布してその内部を流れる冷媒を冷却する。このように、当該制御においては、ドレン水の冷熱を有効に利用することができる。
【００７８】
図６は、冷凍回路１におけるドレン水回路ＤＣの切り替え制御の第３の態様を示すフローチャートである。また、図７は、図６に示す第３の態様の切り替え制御によって実現されるドレン水の流れを示す概略説明図であって、（Ａ）は液相冷媒冷却回路ＬＣＣのみをドレン水が流れる状態を、（Ｂ）は気相冷媒冷却回路ＧＣＣのみをドレン水が流れる状態を、（Ｃ）はドレン水放出回路ＤＤＣのみをドレン水が流れる状態を、それぞれ示している。
【００７９】
第３の態様においては、第１〜３水位センサＬＳ１〜ＬＳ３によって検知されるドレン水タンクＤＴ内のドレン水の水位、並びに、ドレン水温度センサＴＳＤによって検知されるドレン水タンクＤＴ内のドレン水の温度に基づいて、三方弁ＴＶの方向（Ａ方向またはＢ方向）、並びに、第１開閉弁Ｖ１及び第２開閉弁Ｖ２の開閉が制御される。
【００８０】
図６に示すフローチャートのステップＳ３００において空調装置（冷凍回路１）の運転が開始された後、ステップＳ３１０において、第１水位センサＬＳ１を用いてドレン水タンクＤＴ内のドレン水の水位Ｌが第１水位Ｌ１未満（Ｌ＜Ｌ１）であるか否かが判定される。
【００８１】
ステップＳ３１０における判定結果がＹｅｓである（すなわち、ドレン水タンクＤＴ内のドレン水の水位Ｌが第１水位Ｌ１未満である）場合、ドレン水タンクＤＴ内のドレン水の水位はドレン水ポンプＰＤの吸い込み口ＰＤＩより低く、ドレン水ポンプＰＤによってドレン水を圧送することはできないので、Ｙｅｓ方向へ進み、ステップＳ３１５においてドレン水ポンプＰＤの運転が停止される。
【００８２】
ステップＳ３１０における判定結果がＮｏである（すなわち、ドレン水タンクＤＴ内のドレン水の水位Ｌが第１水位Ｌ１以上である）場合、ドレン水ポンプＰＤによってドレン水タンクＤＴ内のドレン水を圧送することができるので、Ｎｏ方向へ進み、ステップＳ３２０において三方弁ＴＶがＡ方向に切り替えられ、ステップＳ３２５において第１開閉弁Ｖ１が開かれると共に、ステップＳ３３０においてドレン水ポンプＰＤが起動される。なお、このとき第２開閉弁Ｖ２は閉じられている。
【００８３】
この状態においては、図７（Ａ）に示すように、ドレン水タンクＤＴに貯留されたドレン水はドレン水ポンプＰＤにより圧送されて三方弁ＴＶに到達した後、Ａ方向へ流れ、第１開閉弁Ｖ１を経て液相冷媒冷却回路ＬＣＣに流入する。その後、ドレン水は、液相冷媒冷却器ＬＣにおいて膨張装置ＥＸに流入する液相冷媒を冷却した後、ドレン水タンクＤＴに還流する。
【００８４】
上述した状態で、続くステップＳ３４０において、ドレン水温度センサＴＳＤにより検知されるドレン水タンクＤＴ内のドレン水の温度Ｔｄと、冷媒温度センサＴＳＲ１により検知される膨張装置ＥＸの直上流における冷媒の温度Ｔｒ１との温度差ΔＴ１が下限値ΔＴ１Ｌを上回っている（ΔＴ１＞ΔＴ１Ｌ）か否かが判定される。
【００８５】
ステップＳ３４０における判定結果がＹｅｓである（すなわち、温度差ΔＴ１が下限値ΔＴ１Ｌを上回っている）場合、Ｙｅｓ方向へ進み、ステップＳ３４０における判定が繰り返される。このように、温度差ΔＴ１が下限値ΔＴ１Ｌを上回っている場合は、ドレン水タンクＤＴ内のドレン水の温度Ｔｄが膨張装置ＥＸの直上流における冷媒の温度Ｔｒ１と比較して十分に低く、液相冷媒冷却器ＬＣにおいてドレン水による冷媒の冷却が効果的に行われ得る。そのため、この場合には、上述した状態を維持し、液相冷媒冷却回路ＬＣＣのみにドレン水を流して冷媒の冷却を続行する。
【００８６】
ステップＳ３４０における判定結果がＮｏである（すなわち、温度差ΔＴ１が下限値ΔＴ１Ｌ以下である）場合、ドレン水タンクＤＴ内のドレン水の温度Ｔｄの経時的な上昇によって膨張装置ＥＸの直上流における冷媒の温度Ｔｒ１との温度差が小さくなり、液相冷媒冷却器ＬＣにおいてドレン水による冷媒の冷却を効果的に行うことができない状態となっている。そのため、この場合には、Ｎｏ方向へ進み、ドレン水の流れが切り替えられる。
【００８７】
すなわち、ステップＳ３５０において第２開閉弁Ｖ２が開かれると共に、ステップＳ３５５において第１開閉弁Ｖ１が閉じられる。
【００８８】
この状態においては、図７（Ｂ）に示すように、ドレン水タンクＤＴに貯留されたドレン水はドレン水ポンプＰＤにより圧送されて三方弁ＴＶに到達した後、Ａ方向へ流れ、第２開閉弁Ｖ２を経て気相冷媒冷却回路ＧＣＣに流入する。その後、ドレン水は、気相冷媒冷却器ＧＣにおいて圧縮機ＣＰから吐出された気相冷媒を冷却した後、ドレン水タンクＤＴに還流する。
【００８９】
上述した状態で、続くステップＳ３６０において、第２水位センサＬＳ２を用いてドレン水タンクＤＴ内のドレン水の水位Ｌが第２水位Ｌ２未満（Ｌ＜Ｌ２）であるか否かの判定が行われる。
【００９０】
ステップＳ３６０における判定結果がＹｅｓである（すなわち、ドレン水タンクＤＴ内のドレン水の水位Ｌが第２水位Ｌ２未満である）場合、Ｙｅｓ方向へ進み、ステップＳ３６０における判定が繰り返される。
【００９１】
ステップＳ３６０における判定結果がＮｏである（すなわち、ドレン水タンクＤＴ内のドレン水の水位Ｌが第２水位Ｌ２以上である）場合、ドレン水タンクＤＴ内には既に大量のドレン水が貯留されており、さらなるドレン水を貯留する余裕が乏しくなりつつあることになるので、Ｎｏ方向へ進み、ドレン水の流れが切り替えられる。
【００９２】
すなわち、ステップＳ３７０において三方弁ＴＶがＢ方向に切り替えられると共に、ステップＳ３７５において第２開閉弁Ｖ２が閉じられる。
【００９３】
この状態においては、図７（Ｃ）に示すように、ドレン水ポンプＰＤにより圧送されて三方弁ＴＶに到達したドレン水は、Ｂ方向へ流れてドレン水放出回路ＤＤＣに流入し、最終的には噴霧ノズルＳＮによって凝縮器ＣＤの伝熱面に散布される。これにより、凝縮器ＣＤの伝熱面、したがって凝縮器ＣＤの内部を流れる冷媒が冷却される。
【００９４】
上述した状態で、続くステップＳ３８０において、第２水位センサＬＳ２及び第３水位センサＬＳ３を用いてドレン水タンクＤＴ内のドレン水の水位Ｌが第２水位Ｌ２以上かつ第３水位Ｌ３未満（Ｌ２≦Ｌ＜Ｌ３）であるか否かの判定が行われる。
【００９５】
ステップＳ３８０における判定結果がＹｅｓである場合、Ｙｅｓ方向へ進み、ドレン水放出回路ＤＤＣへのドレン水の供給を通じて冷媒の冷却を続行しつつ、ステップＳ３８０における判定が繰り返される。
【００９６】
ステップＳ３８０における判定結果がＮｏである（すなわち、ドレン水タンクＤＴ内のドレン水の水位Ｌが第２水位Ｌ２未満または第３水位Ｌ３以上である）場合、Ｎｏ方向へ進み、ステップＳ３９０において、第２水位センサＬＳ２を用いてドレン水タンクＤＴ内のドレン水の水位Ｌが第２水位Ｌ２未満（Ｌ＜Ｌ２）であるか否かの判定が行われる。
【００９７】
ステップＳ３９０における判定結果がＮｏである場合は、ドレン水タンクＤＴ内のドレン水の水位Ｌが第３水位Ｌ３以上であることになり、ドレン水タンクＤＴからドレン水が溢れる虞が生じておりドレン水の強制排水が必要とされる状態となっているため、Ｎｏ方向へ進み、ステップＳ３１５においてドレン水ポンプＰＤの運転が停止されると共に、自動的にドレン水タンクＤＴ内のドレン水が強制排水される。
【００９８】
ステップＳ３９０における判定結果がＹｅｓである場合、Ｙｅｓ方向へ進んでステップＳ３１０に戻り、上述した態様の制御が繰り返される。
【００９９】
以上のように、ドレン水回路ＤＣの第３の態様の切り替え制御は、気相冷媒冷却回路ＧＣＣからドレン水放出回路ＤＤＣへの切り替えを、第２の態様の切り替え制御におけるドレン水と圧縮機ＣＰから吐出された気相冷媒との温度差に代えて、ドレン水タンクＤＴ内のドレン水の水位Ｌに基づいて行うようにしたものである。当該切り替え制御においては、ステップＳ３９０からステップＳ３１０へ戻った際、ドレン水ポンプＰＤの運転を停止する必要がなければ、これを連続運転できるため、ドレン水の冷熱を有効に利用することができる。
【０１００】
以上で説明した第１実施形態の冷凍回路１において、ドレン水をドレン水放出回路ＤＤＣに流入させ、最終的に噴霧ノズルＳＮによって凝縮器ＣＤの伝熱面に散布する場合、大部分のドレン水は当該伝熱面において蒸発すると考えられるが、一部のドレン水が蒸発せずに凝縮器ＣＤの伝熱面上を流れ下り、凝縮器ＣＤの下方へ滴下する可能性がある。このようにして、凝縮器ＣＤの伝熱面において蒸発せずに滴下したドレン水を再利用し得るように構成されたものが、以下で説明する第２実施形態の冷凍回路である。
【０１０１】
図８は、本発明の第２実施形態の冷凍回路２を示す概略説明図である。
【０１０２】
冷凍回路２においては、凝縮器ＣＤの下方に凝縮器ドレンパンＤＰＣが設置されており、凝縮器ＣＤの伝熱面において蒸発することなく滴下したドレン水が貯留されるようになっている。また、凝縮器ドレンパンＤＰＣには、貯留されたドレン水の水位が上限水位に達しているか否かを検知するため第４水位センサＬＳ４が設置されている。
【０１０３】
一方、ドレン水放出回路ＤＤＣの中間部分（三方弁ＴＶと凝縮器ＣＤの間の部分）には、これと並列に分岐回路ＢＣが設けられている。そして、分岐回路ＢＣ上には、ドレン水の流れる方向に順に、電磁弁として構成された第３開閉弁Ｖ３及びアスピレータＡＲが設置されている。
【０１０４】
アスピレータＡＲは、ベンチュリ効果を利用して減圧状態を作り出し、減圧状態となる部位に設けられた吸い込み口ＡＲＳからドレン水を吸引し得るように構成されている。ここでは、吸い込み口ＡＲＳと凝縮器ドレンパンＤＰＣの底部とが、吸引管路ＳＣによって接続されている。
【０１０５】
以上のように構成された冷凍回路２においては、ドレン水をドレン水放出回路ＤＤＣに流入させ、噴霧ノズルＳＮによって凝縮器ＣＤの伝熱面に散布することにより凝縮器ＣＤ内を流れる冷媒を冷却している場合、凝縮器ＣＤの伝熱面において蒸発せずに滴下したドレン水は、凝縮器ドレンパンＤＰＣに貯留される。
【０１０６】
そして、凝縮器ドレンパンＤＰＣ内のドレン水の水位が上昇し、上限水位に達したことが第４水位センサＬＳ４によって検知されると、第３開閉弁Ｖ３が開かれる。これにより、ドレン水放出回路ＤＤＣを流れるドレン水の一部が分岐回路ＢＣに流入し、アスピレータＡＲを通過する。このとき、アスピレータＡＲ内には減圧状態が作り出されるため、凝縮器ドレンパンＤＰＣ内のドレン水が、吸引管路ＳＣを経て、吸い込み口ＡＲＳからアスピレータＡＲ内へ吸引される。吸引されたドレン水は、第３開閉弁Ｖ３を通過してアスピレータＡＲに流入したドレン水と合流した後、アスピレータＡＲを流出し、分岐回路ＢＣを経てドレン水放出回路ＤＤＣへ流入する。
【０１０７】
これにより、凝縮器ＣＤの伝熱面において蒸発せずに滴下したドレン水を、再度ドレン水放出回路ＤＤＣに流入させ、凝縮器ＣＤ内を流れる冷媒の冷却に再利用することができる。また、凝縮器ＣＤの伝熱面から滴下したドレン水が、凝縮器ＣＤ近傍の床面等に流出することを防止することもできる。
【符号の説明】
【０１０８】
１        冷凍回路
ＣＰ      圧縮機
ＣＤ      凝縮器
ＤＣ      ドレン水回路
ＤＣＣ    ドレン水循環回路
ＤＤＣ    ドレン水放出回路
ＤＴ      ドレン水タンク
ＥＶ      蒸発器
ＥＸ      膨張装置
ＧＣ      気相冷媒冷却器（冷媒冷却器）
ＧＣＣ    気相冷媒冷却回路
Ｌ１      第１水位
Ｌ２      第２水位
Ｌ３      第３水位
ＬＣ      液相冷媒冷却器（冷媒冷却器）
ＬＣＣ    液相冷媒冷却回路
ＰＤ      ドレン水ポンプ
ＲＣ      管路
ＳＮ      噴霧ノズル
ＴＶ      三方弁（回路切替手段）
ΔＴ１    第１温度差（ドレン水タンク内のドレン水の温度と膨張装置の直上流における冷媒の温度との温度差）
ΔＴ２    第２温度差（ドレン水タンク内のドレン水の温度と圧縮機の直下流における冷媒の温度との温度差）
ΔＴ１Ｌ  第１温度差の下限値
ΔＴ２Ｌ  第２温度差の下限値
【図１】
2020046158.tif 000003
【図２】
2020046158.tif 000004
【図３】
2020046158.tif 000005
【図４】
2020046158.tif 000006
【図５】
2020046158.tif 000007
【図６】
2020046158.tif 000008
【図７】
2020046158.tif 000009
【図８】
2020046158.tif 000010